(57)【要約】【課題】  バッテリ載置棚４１に対し、車体外側向きに開口した積み降ろし口４３からバッテリＢを積み降ろしするものでありながら、楽に積み降ろしできるものを安価に得られるようにする。【解決手段】  表側バッテリ固定部材４７を、軸芯Ｐまわりで上昇取り付け状態と下降取り付け状態とに切換え揺動自在に支持させてある。表側バッテリ固定部材４７を上昇取り付け状態にすると、表側バッテリ固定部材４７は、ロックネジ４８で裏側バッテリ固定部材４６と連結されることにより、バッテリＢをバッテリ載置棚４１に固定する状態になる。表側バッテリ固定部材４７を下降取り付け状態にすると、表側バッテリ固定部材４７は、バッテリＢに対する固定作用を解除するとともに表側バッテリ固定部材４７の遊端側部分４７ｂが積み降ろし口４３を開放し、かつ、遊端側部分４７ｂによってバッテリ受け台を構成する状態になる。【選択図】        図５
2006076530.tif 000002
【特許請求の範囲】
【請求項１】
バッテリ載置棚、及び、バッテリ載置棚に対して車体外側からバッテリを積み降ろしするように車体外側向きに開口した積み降ろし口を備えた水田作業車のバッテリ収容部構造であって、
前記バッテリ載置棚にバッテリを固定するバッテリ固定部材を、バッテリ載置棚に載置されたバッテリに対して固定作用する上昇取付け状態と、バッテリに対する固定作用を解除するとともに前記積み降ろし口を開放した下降取付け状態とに上下揺動切換え自在に支持させ、
前記バッテリ固定部材に、前記下降取付け状態において前記積み降ろし口よりも車体外側にバッテリ受け台を構成する部分を備えてある水田作業車のバッテリ収容部構造。
【請求項２】
前記バッテリ載置棚を、運転部床の車体横外方側の下方の乗降用ステップとは車体前後方向に位置ずれした部位に設けてある請求項１記載の水田作業車のバッテリ収容部構造。
【請求項３】
前記バッテリ載置棚が、車体の横方向での両端部のうち、エンジン用燃料タンクが位置する側とは反対側の端部に設けられている請求項１又は２記載の水田作業車のバッテリ収容部構造。
【発明の詳細な説明】
【技術分野】
【０００１】
本発明は、バッテリ載置棚、及び、バッテリ載置棚に対して車体外側からバッテリを積み降ろしするように車体外側向きに開口した積み降ろし口を備えた水田作業車のバッテリ収容部構造に関する。
【背景技術】
【０００２】
この種のバッテリ収容部として、従来、例えば特許文献１に示されるバッテリ収容部１９があった。すなわち、外側方を向く開口部からバッテリ２０を収容するようになったものがあった。
【０００３】
【特許文献１】特開２００２−１９号公報（〔００１７〕段、図７）
【発明の開示】
【発明が解決しようとする課題】
【０００４】
この種のバッテリ収容部にあっては、バッテリを積み込む際、バッテリの一部を積み降ろし口に入れ込んでバッテリの一部がバッテリ載置棚に載ると、バッテリ全体をバッテリ載置棚の奥側に押し込むという積み込み方法を採用されるが、バッテリの全重量を支持しながら積み降ろし口に入れ込まねばならないものであると、バッテリを積み降ろし口に対して入るように位置合わせするのに、バッテリの全重量を支持しながら位置合わせしなければならず、位置合わせしにくくなる。バッテリ載置棚の横幅が狭いほど、顕著である。また、このものの場合、バッテリを取り出す際、バッテリをバッテリ載置棚の積み降ろし口側に引き出してバッテリの一部が積み降ろし口から出ると、バッテリの持ち具合を引き出し形態から受け止め形態に変更し、後にバッテリ全体がバッテリ載置棚から外れても落下しないように確実に受け止め支持しながらバッテリをバッテリ載置棚から取り出すという方法を採用することになるが、バッテリをバッテリ載置棚の積み降ろし口側端に載置した状態でバッテリの持ち具合を変更せねばならず、変更しにくくなることがある。殊に、バッテリ載置棚が車両の奥側に入り込んでいるほど、顕著である。
【０００５】
本発明の目的は、車体外側向きに開口した積み降ろし口からバッテリを積み降ろしするものでありながら、容易かつ楽に積み降ろしすることができ、しかも構造簡単に得られる水田作業車のバッテリ収容部構造を提供することにある。
【課題を解決するための手段】
【０００６】
本第１発明にあっては、バッテリ載置棚、及び、バッテリ載置棚に対して車体外側からバッテリを積み降ろしするように車体外側向きに開口した積み降ろし口を備えた水田作業車のバッテリ収容部構造において、
前記バッテリ載置棚にバッテリを固定するバッテリ固定部材を、バッテリ載置棚に載置されたバッテリに対して固定作用する上昇取付け状態と、バッテリに対する固定作用を解除するとともに前記積み降ろし口を開放した下降取付け状態とに上下揺動切換え自在に支持させ、
前記バッテリ固定部材に、前記下降取付け状態において前記積み降ろし口よりも車体外側にバッテリ受け台を構成する部分を備えてある。
【０００７】
すなわち、バッテリを取り出す際、バッテリをバッテリ載置台から下降取付け状態のバッテリ固定部材まで引出して、バッテリ固定部材が構成するバッテリ受け台に載置すれば、バッテリを積み降ろし口よりも車体外側に位置した箇所に仮置きしてこの箇所でバッテリの持ち具合を引き出し形態から受け止め形態に変更し、バッテリがバッテリ固定部材から外れも落下しないように確実に支持しながらバッテリを取り出すことができる。
バッテリを積み込む際、バッテリを下降取付け状態のバッテリ固定部材まで運んでバッテリ固定部材が構成するバッテリ受け台に載置すれば、バッテリを積み降ろし口よりも車体外側に位置した箇所に仮置きして支持させながら積み降ろし口に対して位置合わせし、バッテリ固定部材からバッテリ載置棚に押し込んで所定の収容位置に載置することができる。
【０００８】
従って、本第１発明によれば、バッテリを取り出したり積み込んだりするに当たり、積み降ろし口よりも車体外側に位置して取り扱いがしやすい箇所で、バッテリ固定部材を仮置き部材に利用して仮置きし、バッテリ載置棚から引き出すための持ち具合からバッテリ全体を受け止め支持するための持ち具合に容易に変更したり、バッテリをバッテリ固定部材に受け止め支持させながら積み降ろし口に対して容易に位置合わせしたりして、楽にかつ容易に積み降ろしをすることができる。しかも、バッテリ固定部材を仮置き部材に利用して構造の簡略化を図り、経済面などで有利に得ることができる。
【０００９】
本第２発明にあっては、本第１発明の構成において、前記バッテリ載置棚を、運転部床の車体横外方側の下方の乗降用ステップとは車体前後方向に位置ずれした部位に設けてある。
【００１０】
すなわち、乗降用ステップとバッテリ載置棚が車体横方向に並んでいると、乗降用ステップに掛けた足からバッテリに土や泥などが落ちやすくなるが、乗降用ステップとバッテリ載置棚が車体前後方向に位置ずれしており、バッテリに土や泥が落ちるトラブル発生を回避しながら乗降用ステップもバッテリ載置棚も運転部床の下方に設けることができる。
【００１１】
従って、本第２発明によれば、運転部床の下方のスペースにバッテリを収容するものでありながら、バッテリに土や泥などが付着して故障が発生することを回避しながら収容することができる。
【００１２】
本第３発明にあっては、本第１又は第２発明の構成において、前記バッテリ載置棚が、車体の横方向での両端部のうち、エンジン用燃料タンクが位置する側とは反対側の端部に設けられている。
【００１３】
すなわち、バッテリ及びエンジン燃料の重量が車体の両横側に分かれて掛かるようにしてバッテリとエンジン燃料を収容や貯留することができるものである。
【００１４】
従って、本第３発明によれば、バッテリ及びエンジン燃料に起因する車体の左右重量のアンパランスを抑制した安定な状態を得ることができる。
【発明を実施するための最良の形態】
【００１５】
以下、本発明の実施例を図面に基づいて説明する。
図１に示すように、左右一対の操向操作及び駆動自在な前車輪１、左右一対の駆動自在後車輪２、車体前部に位置するエンジン３ａが装備された原動部３、車体後部に位置する運転座席４が装備された運転部５、運転部用の日除け６を備えた自走車体の前記原動部３の両横側に予備苗載せ台装置７を設け、前記自走車体の車体フレームＦの後部にリフトシリンダ８ａが装備されたリンク機構８を介して苗植付け装置１０を連結するとともに、前記エンジン３ａからの駆動力を回転軸９を介して苗植付け装置１０に伝達するように構成し、前記自走車体の運転座席４の後側に肥料タンク２１を備えた施肥装置２０を設けて、施肥装置付き乗用型田植機を構成してある。
【００１６】
すなわち、リフトシリンダ８ａを伸縮作動させると、このリフトシリンダ８ａがリンク機構８を車体フレームＦに対して上下に揺動操作して、苗植付け装置１０を植付け機体の下部に植付け機体横方向に並んで連結している複数個の接地フロート１１が圃場面上に接地した下降作業状態と、接地フロート１１が圃場面上から高く上昇した上昇非作業状態とに昇降操作する。苗植付け装置１０を下降作業状態にして自走車体を走行させると、苗植付け装置１０は、植付け機体の後部に植付け機体横方向に並べて駆動自在に設けた複数の苗植付け機構１２により、各苗植付け機構１２の苗植え運動に連動して植付け機体横方向に往復移送される苗載せ台１３に載置されたマット状苗から一株分のブロック苗を切断して取り出し、前記接地フロート１１が整地作用した圃場泥面に植え付けていく。
【００１７】
施肥装置２０は、前記肥料タンク２１、この肥料タンク２１の下部に自走機体横方向に並べて設けた複数の肥料繰り出し機構２２、各肥料繰り出し機構２２から複数本ずつ苗植付け装置１０に向けて延出された施肥ホース２３、運転座席４の下方に設けた電動ブロワ（図示せず）を備えて構成してある。
【００１８】
複数本の施肥ホース２３は、苗植付け装置１０の各苗植付け機構１２による苗植付け箇所の近くに１個ずつ位置するように配置して前記複数個の接地フロート１１に分散させて支持された複数個の作溝施肥器２５に各別に接続されている。電動ブロワは、ブロワの吸気部から自走機体前方側に延出する吸気ダクト（図示せず）を介して原動部３の付近からエンジン排熱などで温度上昇した空気を吸引して常温の空気よりも温度が高い搬送風を発生させ、この搬送風を前記肥料繰り出し機構２２を介して前記各施肥ホース２３に供給する。
【００１９】
つまり、肥料タンク２１に粒状の肥料を投入しておくと、各肥料繰り出し機構２２が肥料タンク２１から肥料を設定量ずつ繰り出し、電動ブロワが供給する搬送風が肥料繰り出し機構２２からの肥料を施肥ホース２３を介して作溝施肥器２５に供給し、各作溝施肥器２５が圃場面に施肥溝を形成するとともにこの施肥溝に施肥ホース２３からの肥料を供給していく。これにより、施肥装置２０は、圃場面の各苗植付け機構１２による植付け苗の近くに肥料を供給していく。
【００２０】
図２に示すように、運転部５の運転座席４の付近に配置した運転部床本体３１と、この運転部床本体３１とは別部品に形成して運転部床本体３１の自走車体横方向での両横側に配置した拡張運転部床３２とによって運転部床３０を構成し、各拡張運転部床３２の横端部での下面側に乗降用ステップ３５を設け、エンジン３ａの自走車体横方向での両横側に、エンジンボンネット３ｂと予備苗載せ台装置７との間に配置した乗降ステップ３８を設けてある。
【００２１】
図３，４に示すように、各乗降用ステップ３５は、前記拡張運転部床３２の外側周縁部を支持するように車体フレームＦが備える補助フレームＦ１に上端側が連結された支持部材３６と、この支持部材３６の下端部に連結されたステップ板３７とを備えて構成してある。
【００２２】
左右の乗降ステップ３８は、運転部床本体３１とは別部品に形成し、乗降ステップ３８の後端部と、運転部床本体３１の前端部とがエンジンボンネット３ｂの後端付近で連なるようにして設けてある。さらに、左右の乗降ステップ３８は、原動部３の前側を通って左右の乗降ステップ３８の前端部に対して連結している連結ステップ部３８ａによって連結された単一の部品になっている。
【００２３】
つまり、自走車体の横側から運転部５に乗ったり、運転部５から自走車体の横側に降りたりする際、乗降用ステップ３５のステップ板３７に足を掛けて乗り降りできるようにしてある。運転部５から乗降ステップ３８を通って自走車体の前方に降りたり、自走車体の前方から乗降ステップ３８を通って運転部５に乗ったりすることを可能にしてある。
【００２４】
図１，２に示すように、運転部床３０の車体横方向での一端側の下方の前後輪間にエンジン用燃料タンクＴを設け、他端側の下方の前後輪間にバッテリ収容部４０を設けてある。
【００２５】
図３，４，５に示すように、バッテリ収容部４０は、拡張運転部床３２の横端部の下方に配置したバッテリ載置棚４１、このバッテリ載置棚４１の自走車体前後方向での両側でバッテリ載置棚４１を吊下げ支持する側板４２、バッテリ載置棚４１及び両側板４２，４２によってバッテリ載置棚４１の自走車体横外側に車体横外側向きに開口した状態に形成された積み降ろし口４３、バッテリ載置棚４１及び両側板４２，４２の奥側端部に設けた奥側板４４、バッテリ載置棚４１の奥側板４４の取り付け孔４５に下端側が係止された屈曲帯板金で成る裏側バッテリ固定部材４６、前記両側板４２，４２に両端部が各別に連結された屈曲丸棒材で成る表側バッテリ固定部材４７を備えて構成してある。
【００２６】
前記両側板４２，４２は、車体フレームＦが備える板金製の補助フレームＦ２に上端部で支持されている。バッテリ載置棚４１、両側板４２、各奥側板４４は、折り曲げ成形した１枚の板金部材によって構成してある。
【００２７】
図３，４，５に示すように、表側バッテリ固定部材４７は、両側板４２に各別に支持されている両端部の連結部４７ａを通る自走車体前後向き軸芯Ｐのまわりで両側板４２に対して上下揺動するようになっており、図４、図５（イ）に示すように、表側バッテリ固定部材４７を上昇揺動させて、表側バッテリ固体部材４７の遊端部分４７ｂが積み降ろし口４３を閉じた上昇取り付け状態にすると、表側バッテリ固定部材４７は、バッテリＢに対して固定作用する固定状態になる。すなわち、表側バッテリ固定部材４７の中間部４７ｃに装着されているロックネジ４８によって、表側バッテリ固定部材４７の中間部４７ｃと、前記裏側バッテリ固定部材４６の上端部４６ａとを締め付け連結すると、表側バッテリ固定部材４７及び裏側バッテリ固体部材４６が両部材４６，４７によってバッテリＢを挟持してバッテリ載置棚４１に固定するようになる。
【００２８】
これに対し、図５（ロ）に示すように、表側バッテリ固定部材４７を下降揺動させて、表側バッテリ固定部材４７のアーム部４７ｄがバッテリ載置棚４１の端部に当接して受け止め支持されて下降限界になった下降取り付け状態にすると、表側バッテリ固定部材４７は、バッテリＢに対する固定作用を解除した状態になり、かつ、表側バッテリ固定部材４７の遊端部分４７ｂがバッテリ載置棚４１から車体横外側に向けて水平に近い姿勢で延出して、積み降ろし口４３を開放するとともに積み降ろし口４３よりも車体横外側に遊端部分４７ｂによってバッテリ受け台を構成する状態になる。
【００２９】
つまり、バッテリＢを次の如く積み降ろしすることができるようになっている。
すなわち、バッテリＢを積み込むに当たり、表側バッテリ固定部材４７を下降取り付け状態にして積み降ろし口４３を開放し、バッテリＢを積み降ろし口４３に対して位置合わせする。このとき、図５（ロ）に示すように、バッテリＢを表側バッテリ固定部材４７の遊端側部分４７ｂに仮置きすることにより、バッテリＢを表側バッテリ固定部材４７に支持させながら楽に積み降ろし口４３に位置合わせすることができる。バッテリＢが積み降ろし口４３の横幅（自走車体前後方向での幅）内に位置した状態になると、バッテリＢを表側バッテリ固定部材４７の遊端側部分４７ｂに支持させながら車体内側に押し込み操作して積み降ろし口４３からバッテリ載置棚４１に押し込む。バッテリＢが奥側板４４によって受け止められた状態になると、表側バッテリ固定部材４７を上昇操作して上昇取り付け状態にするとともにロックネジ４８によって裏側バッテリ固定部材４６に連結し、表側バッテリ固定部材４７及び裏側バッテリ固定部材４６を固定作用状態にしてバッテリＢをバッテリ載置棚４１に固定する。
【００３０】
バッテリＢを取り出すに当たり、表側バッテリ固定部材４７を下降取り付け状態にし、バッテリＢのバッテリ載置棚４１に対する固定を解除するとともに積み降ろし口４３を開放し、バッテリＢをバッテリ載置棚４１から積み降ろし口４３の車体横外側に引き出す。このとき、バッテリＢを表側バッテリ固定部材４７の遊端側部分４７ｂに仮置きすることにより、バッテリＢをバッテリ載置棚４１から引き出す際の持ち方から、バッテリＢが支持部材から外れても落下しないように受け止め支持することができる持ち方にバッテリＢの持ち方を変更するのに、バッテリＢを表側バッテリ固定部材４７に支持させながら楽に持ち方変更を行なって、バッテリＢを取り出すことができる。
【００３１】
図３，４に明示するように、バッテリ載置棚４１は、前記乗降用ステップ３５に掛けた足から土や泥が落ちてもバッテリＢの上に落ちることを回避できるように乗降用ステップ３５に対して自走車体後方側に位置ずれした部位に配置してある。乗降用ステップ３５が土塊などに触れても、乗降用ステップ３５によるプロテクタ作用によってバッテリＢが触れにくくなるように、バッテリ載置棚４１は、乗降用ステップ３５の支持部材３６の下端よりも下方に突出しない配置高さに配置してある。車体フレームＦにエンジン３を搭載するように備えてあるエンジン搭載フレームＦ３が障害物に触れても、この障害物と同一の地上高さの障害物にはバッテリ載置棚４１が触れることを回避できるように、バッテリ載置棚４１の最低地上高さをエンジン搭載フレームＦ３の最低地上高さよりも高く設定してある。
【００３２】
〔別実施形態〕
上記実施形態の如くバッテリ収容部４０を運転部床３２の下方に設けて実施するもの他、前記乗降ステップ３８の下方に設けて実施するものであっても、本発明の目的を達成することができるのであり、車体のいずれの部分に設ける場合にも、本発明は適用できる。
【００３３】
バッテリ収容部４０を乗降用ステップ３５に対して自走車体後方側に位置ずれさせて設ける他、乗降用ステップ３５に対して自走車体前方側に位置ずれさせて設けて実施してもよい。乗用用ステップ３５に対して自走車体前後方向に位置ずれさせて設けることにより、本発明の目的を達成することができる。
【００３４】
田植機の他、稲籾を圃場に直播する直播機に装備されるバッテリ収容部にも本発明は適用できるのであり、田植機、直播機などを総称して水田作業機と呼称する。
【図面の簡単な説明】
【００３５】
【図１】施肥装置付き乗用型田植機の全体側面図
【図２】自走車体の平面図
【図３】乗降用ステップ及びバッテリ収容部の平面図
【図４】乗降用ステップ及びバッテリ収容部の側面図
【図５】（イ）は、バッテリ収容部のバッテリ収容状態での正面面、（ロ）は、バッテリ収容部のバッテリ積み降ろし状態での正面面
【符号の説明】
【００３６】
３２        運転部床
３５        乗降用ステップ
４１        バッテリ載置棚
４３        積み降ろし口
４７        バッテリ固定部材
４７ｂ      バッテリ固定部材の部分
Ｂ          バッテリ
Ｔ          エンジン燃料タンク
【図１】
2006076530.tif 000003
【図２】
2006076530.tif 000004
【図３】
2006076530.tif 000005
【図４】
2006076530.tif 000006
【図５】
2006076530.tif 000007